(57)【要約】【課題】操作部材の、内容物放出操作とは別のスライド操作により、内容物放出動作の阻止状態と阻止解除状態とを選択できるようにした内容物放出操作機構の、天面および側面の全体形状のシンプル化と、誤動作防止を図る。【解決手段】カバーキャップの胴部３に、操作部材６のＡ方向，逆Ａ方向へのスライド用の前開口部３ｂと後開口部３ｃを設けた。内容物放出動作の阻止状態では、逆Ａ方向に移動した操作部材６と胴部３の外周面が面一になる。面一位置からＡ方向に移動した操作部材６は、縦切欠状部６ｅが後開口部の下縁部分３ｄの真上に位置し、幅狭開口部６ａの縁部分下側に縦凸状部５ｄが入り込む。そして操作部材６の後側を下方に回動操作すると、その当該縁部分が、ステム２と連動する縦凸状部５ｄを押し下げる。なお、前記阻止状態で操作部材６が不用意に回動しても、縦凸状部５ｄは、幅広開口部６ｂの範囲に入っており、当該操作部材で駆動されない。【選択図】図３
2015074486.tif 000002
【特許請求の範囲】
【請求項１】
内容物の放出操作のときも容器本体と一体のカバーキャップの内部に配設された内容物放出操作用の操作部材に対する、当該放出操作とは別のスライド操作により、当該内容物の放出動作が阻止される放出阻止モードと、当該内容物の放出動作がおこなえる放出阻止解除モードと、を選択的に設定する内容物放出操作機構において、
前記カバーキャップは、
前記容器本体に取り付けられる筒状の胴部、および前記操作部材の上方カバー用で平板状天面を持つ天板からなり、
前記胴部は、
前記操作部材を、前記放出阻止モードの位置から前記放出阻止解除モードの位置へ移動させる放出用スライド操作のための第一開口部と、
当該操作部材に対する前記放出操作、および前記放出阻止解除モードの位置から前記放出阻止モードの位置へ当該操作部材を移動させる放出阻止用スライド操作のための第二開口部と、
を備え、
前記操作部材は、
前記放出阻止モードに設定されたとき前記胴部の外周面と連続する、周方向外面部分を有している、
ことを特徴とする内容物放出操作機構。
【請求項２】
前記周方向外面部分は、
その全体が、前記操作部材の前記放出阻止モードの位置において前記胴部の外周面との同一面を構成する、
ことを特徴とする請求項１記載の内容物放出操作機構。
【請求項３】
前記操作部材は、
前記放出阻止モードの位置において、前記第一開口部および前記第二開口部それぞれの縁部分に保持される、
ことを特徴とする請求項１または２記載の内容物放出操作機構。
【請求項４】
前記操作部材および前記胴部の少なくとも一方は、
前記放出阻止解除モードにおける当該操作部材の前記放出操作の際に、前記第二開口部の下縁部分に係止されない逃げ空間部として作用する係止解除作用部を有している、
ことを特徴とする請求項１乃至３のいずれかに記載の内容物放出操作機構。
【請求項５】
前記内容物を外部空間域に放出するための弁作用部、およびこれと連動する出力側通路部材を備え、
前記出力側通路部材は、
その外周面部分に前記操作部材との連動作用部を有し、
前記操作部材は、
前記放出阻止モードの位置において、前記出力側通路部材が貫通し、前記連動作用部が当該操作部材の内容物放出操作方向へのシフトに連動しない形状態様の幅広開口部と、
当該幅広開口部から連続形成され、前記放出阻止解除モードの位置において、前記出力側通路部材が貫通し、前記連動作用部が当該シフトに連動する形状態様の幅狭開口部と、
を有している、
ことを特徴とする請求項１乃至４のいずれかに記載の内容物放出操作機構。
【請求項６】
前記出力側通路部材は、
その放出口側が前記天板に回動可能な態様で設けられた筒状部材である、
ことを特徴とする請求項５記載の内容物放出操作機構。
【請求項７】
請求項１乃至６のいずれかに記載の内容物放出操作機構を備え、かつ、容器本体に放出用ガスおよび放出対象内容物を収容した、
ことを特徴とするエアゾール式製品。
【請求項８】
請求項１乃至６のいずれかに記載の内容物放出操作機構を備え、かつ、容器本体に放出対象内容物を収容した、
ことを特徴とするポンプ式製品
【発明の詳細な説明】
【技術分野】
【０００１】
本発明は、放出対象の各種内容物を収容したエアゾール式製品やポンプ式製品で用いられる内容物放出操作機構に関する。
【０００２】
特に、内容物の放出操作のときも容器本体と一体のカバーキャップの内部に配設された内容物放出操作用の操作部材に対する、当該放出操作とは別のスライド操作により、内容物放出動作が阻止される放出阻止モードと、内容物放出動作がおこなえる放出阻止解除モードと、を選択的に設定する内容物放出操作機構に関する。
【０００３】
本明細書では、必要に応じて、ステムなどの弁部材の閉作用に基づいて容器本体側内容物が外部空間域に放出されない状態を静止モードといい、弁部材の開作用に基づいて容器本体側内容物が外部空間域に放出される状態を作動モードという。
【０００４】
また、外部空間域への内容物放出側を「前」、それとは反対の利用者指掛け側を「後」とそれぞれ記す。図１，図３，図４の左側が「前」で右側が「後」となる。
【背景技術】
【０００５】
従来、エアゾール式製品において、内容物放出操作用の操作部材（ボタン部）のスライド動作により、内容物放出動作の阻止モードと阻止解除モードとを設定する内容物放出操作機構が提案されている（特許文献１参照）。
【０００６】
この内容物放出操作機構では操作部材を保護するため、当該操作部材のカバー体が容器本体に固定されている。
【０００７】
ここでのカバー体は、内容物放出操作に先立って容器本体から取り外されることなしに、操作部材（ボタン部）の両横側部分をもっぱら保護する起立部を備えた態様で、常時、容器本体に取り付けられている。
【０００８】
すなわち、内容物放出側となる操作部材前方は勿論のこと、それ以外にも、利用者の内容物放出操作に必要な操作部材上方および操作部材後方の各空間域には、カバー体が配設されていない。
【先行技術文献】
【特許文献】
【０００９】
【特許文献１】特開２０１２−１４０１３５号公報
【発明の概要】
【発明が解決しようとする課題】
【００１０】
このように従来の、操作部材のスライド動作に基づいて、内容物放出動作の阻止モードと阻止解除モードとを選択的に設定する内容物放出操作機構の場合、当該操作部材の上方空間域や後方空間域が、操作部材保護用のカバー体で保護されない構造になっている。
【００１１】
そのため、操作部材の上面側全体などが露出してしまい、カバーキャップおよび操作部材からなる内容物放出操作機構の全体外観形状のシンプル感にかけるという問題点があった。
【００１２】
また、露出した操作部材上面側との何らかの当接などにより内容物放出動作の阻止モード，阻止解除モードの変更が比較的簡単に生じえるので、不用意に、放出阻止解除モードの設定およびこれに続く作動モードの設定が生じやすいという問題点があった。
【００１３】
すなわち、利用者のいわば意に反する形で容器本体の内容物が外部空間域に放出されてしまうという誤動作の問題点があった。
【００１４】
そこで本発明では、エアゾール式製品やポンプ式製品における操作部材の保護部材としてのカバーキャップを、容器本体に取り付けられる筒状の胴部と、操作部材の上方カバー用で平板状天面を持つ天板とからなるシンプルなキャップ形状としている。
【００１５】
この胴部には、操作部材を内容物放出動作の阻止モード位置から阻止解除モード位置へ移動させるための第一開口部と、操作部材を内容物放出操作の方向へ移動させるため、かつ、当該阻止解除モード位置から当該阻止モード位置へ移動させるための第二開口部とを設けている。
【００１６】
そして、内容物放出動作の阻止モードのとき、胴部のこれら第一，第二の開口部がそれぞれ操作部材の周方向外面部分でいわば塞がれるように設定し、カバーキャップの内部露出部分を内容物放出動作に必須な内容物放出口などに留めている。
【００１７】
すなわち、この放出阻止モードでは、操作部材からなる操作機構の略全体が天板付き筒状のシンプル形状のカバーキャップで囲われ、操作部材が胴部の開口部に係合して保持される。この係合保持状態で操作部材が内容物放出操作方向に移動することはない。
【００１８】
また、この放出阻止モードでは、操作部材と、ステムなどのいわば内容物放出用駆動部との連動関係がオフに設定される。これにより、何らかの不用意な力を受けた操作部材が、胴部の開口部との係合保持状態からずれてさらに内容物放出操作方向に移動したときにも、この内容物放出用駆動部は作動せず、容器本体側の内容物が外部空間域に放出されないようにしている。
【００１９】
さらには、この放出阻止モードでは胴部の開口部に係合保持されて移動しえない操作部材を、放出阻止解除モードのときに内容物放出操作方向へ移動可能とするための逃げ空間部を少なくとも操作部材および胴部の一方（図示の場合は操作部材）に形成している。
【００２０】
本発明は、このような内容物放出操作機構の採用により、
(11)内容物放出操作機構の全体形状（天面および側面）をシンプルですっきりした感じに設定し、
(12)内容物放出動作の阻止モードに設定済みの内容物放出操作機構が不用意に阻止解除状態へと移行することを十全に阻止し、内容物放出操作機構の誤動作防止を図る、
ことを目的とする。
【課題を解決するための手段】
【００２１】
本発明は、以上の課題を次のようにして解決する。
（１）内容物の放出操作のときも容器本体（例えば後述の容器本体１）と一体のカバーキャップ（例えば後述の胴部３＋天板４）の内部に配設された内容物放出操作用の操作部材（例えば後述の操作部材６）に対する、当該放出操作とは別のスライド操作により、当該内容物の放出動作が阻止される放出阻止モードと、当該内容物の放出動作がおこなえる放出阻止解除モードと、を選択的に設定する内容物放出操作機構において、
前記カバーキャップは、
前記容器本体に取り付けられる筒状の胴部（例えば後述の胴部３）、および前記操作部材の上方カバー用で平板状天面（例えば後述の平板状天面４ａ）を持つ天板（例えば後述の天板４）からなり、
前記胴部は、
前記操作部材を、前記放出阻止モードの位置から前記放出阻止解除モードの位置へ移動させる放出用スライド操作のための第一開口部（例えば後述の前開口部３ｂ）と、
当該操作部材に対する前記放出操作、および前記放出阻止解除モードの位置から前記放出阻止モードの位置へ当該操作部材を移動させる放出阻止用スライド操作のための第二開口部（例えば後述の後開口部３ｃ）と、
を備え、
前記操作部材は、
前記放出阻止モードに設定されたとき前記胴部の外周面と連続する、周方向外面部分（例えば後述の前周面部６ｇ，後周面部６ｈ）を有している、
構成態様のものを用いる。
（２）上記（１）において、
前記周方向外面部分は、
その全体が、前記操作部材の前記放出阻止モードの位置において前記胴部の外周面との同一面を構成する、
構成態様のものを用いる。
（３）上記（１），（２）において、
前記操作部材は、
前記放出阻止モードの位置において、前記第一開口部および前記第二開口部それぞれの縁部分（例えば後述の下縁部分３ｄ，筒状案内部３ｆの前端縁部分）に保持される、
構成態様のものを用いる。
（４）上記（１）〜（３）において、
前記操作部材および前記胴部の少なくとも一方は、
前記放出阻止解除モードにおける当該操作部材の前記放出操作の際に、前記第二開口部の下縁部分に係止されない逃げ空間部として作用する係止解除作用部（例えば後述の縦切欠状部６ｅ）を有している、
構成態様のものを用いる。
（５）上記（１）〜（４）において、
前記内容物を外部空間域に放出するための弁作用部（例えば後述のステム２）、およびこれと連動する出力側通路部材（例えば後述の出力側通路部材５）を備え、
前記出力側通路部材は、
その外周面部分に前記操作部材との連動作用部（例えば後述の縦凸状部５ｄ）を有し、
前記操作部材は、
前記放出阻止モードの位置において、前記出力側通路部材が貫通し、前記連動作用部が当該操作部材の内容物放出操作方向へのシフトに連動しない形状態様の幅広開口部（例えば後述の幅広開口部６ｂ）と、
当該幅広開口部から連続形成され、前記放出阻止解除モードの位置において、前記出力側通路部材が貫通し、前記連動作用部が当該シフトに連動する形状態様の幅狭開口部（例えば後述の幅狭開口部６ａ）と、
を有している、
構成態様のものを用いる。
（６）上記（５）において、
前記出力側通路部材は、
その放出口側が前記天板に回動可能な態様で設けられた筒状部材である、
構成態様のものを用いる。
【００２２】
このような構成からなる内容物放出操作機構、ならびにこの内容物放出操作機構を備えたエアゾール式製品およびポンプ式製品を本発明の対象としている。
【発明の効果】
【００２３】
本発明は、以上の構成をとることにより、
(21)内容物放出操作機構の全体形状（天面および側面）のシンプル化を図り、
(22)内容物放出動作の阻止モードに設定済みの内容物放出操作機構が不用意に阻止解除状態へと移行することを十全に阻止し、内容物放出操作機構の誤動作防止を図る、
ことができる。
【図面の簡単な説明】
【００２４】
【図１】操作部材を前方（図示左側）へシフトさせた内容物放出動作の阻止モードを示す説明図である。
【図２】図１の阻止モードにおけるカバーキャップおよび操作部材などの外観を示す説明図である。
【図３】操作部材を後方（Ａ方向）にシフトさせた内容物放出動作の阻止解除モード（静止モード）を示す説明図である。
【図４】図３の静止モードの操作部材をＢ方向に押下げ回動操作した内容物放出状態の作動モードを示す説明図である。
【図５】カバーキャップ（天板，胴部），操作部材および出力側通路部材などの関連構成を示す説明図である。
【発明を実施するための形態】
【００２５】
図１乃至図５を用いて本発明を実施するための形態を説明する。
【００２６】
上述したように、本発明の内容物放出操作機構はエアゾール式製品およびポンプ式製品の双方に適用できる。ただ以下の実施形態では、単なる説明の便宜上、エアゾール式製品の場合を前提とする。
【００２７】
なお、以下のアルファベット付き参照番号の構成要素（例えば切欠状部３ａ）は、原則として当該参照番号の数字部分の構成要素（例えば胴部３）の一部であることを示している。
【００２８】
図１〜図５において、
１は各種の内容物および放出用ガスを収納したエアゾール式製品の容器本体，
１ａは当該容器本体の構成要素である胴体上端部分とその上の肩カバー体下端部分との巻締め結合により設定されるアンダーカット，
２は容器本体１の内部において、周知のコイルスプリング（図示省略）の弾性力により上方向に付勢された形で周知の弁作用および放出通路作用を呈するステム（弁作用部），
をそれぞれ示している。
【００２９】
また、
３は容器本体１のアンダーカット１ａに常時嵌合状態のカバーキャップ（ワンタッチキャップ）を構成する筒状の胴部，
３ａは当該胴部の上端側に形成された内容物放出用の切欠状部，
３ｂは当該胴部の前周面部分に形成された操作部材スライド作動用で横長方形状の前開口部（第一開口部），
３ｃは当該胴部の、前開口部３ｂとは周方向に１８０度反対の周面部分に形成された操作部材スライド作動用で横長方形状の後開口部（第二開口部），
３ｄは後開口部３ｃのいわば円弧状の下端平面部分であって、図３の放出阻止解除モードのときに後述の操作部材６の縦切欠状部６ｅの真下位置を含む形の下縁部分，
３ｅは当該胴部の内周面の、前端側を除く周面部分に後述の天板４の凸状部４ｃと係合する態様で形成されたＣ字状周方向凹状部，
３ｆは前開口部３ｂからその内側に続く筒状案内部，
３ｇは筒状案内部３ｆの上側内周面に形成され、図３の放出阻止解除モードにおける後述の操作部材６の幅狭開口部６ａの前端部分と当接して操作部材最後退位置を設定する凸状の上側段部，
３ｈは上側段部３ｇの左右両側でそれぞれ前後方向に形成されて、後述の操作部材６が当該胴部へ組み込まれるとき、当該上側段部を上方への弾性変位可の状態に設定するための一対の前後スリット状部，
をそれぞれ示している。
【００３０】
また、
４は胴部３に係合固定されてカバーキャップを構成する天板，
４ａは当該天板の上面であって略平坦な円形状部分からなる平板状天面，
４ｂは当該天板の前端側を除く縁部分に形成された横断面円弧状の垂下部，
４ｃは垂下部４ｂの外周面に形成されて、胴部３の凹状部３ｅに係合するＣ字状周方向凸状部，
をそれぞれ示している。
【００３１】
また、
５は天板４の前側中央端部にヒンジ結合して、内容物流入側がステム２の流出側に嵌合し、かつ、前端の内容物流出側が胴部３の切欠状部３ａに配設された形の回動可能でＬ字状の出力側通路部材，
５ａは天板４と当該出力側通路部材とのヒンジ結合部，
５ｂはステム２から流入して外部空間域へ放出される内容物が通過するＬ字状通路部，
５ｃは切欠状部３ａに位置してＬ字状通路部５ｂを通過する内容物を外部空間域に放出するためのノズル出力孔部，
５ｄは当該出力側通路部材の流入側（ステム嵌合側）であっていわば垂直円筒状部の、左右周面部分の上下方向に形成された内容物放出操作連動用の縦凸状部（連動作用部），
をそれぞれ示している。
【００３２】
また、
６は利用者の前後方向へのスライド操作に応じて、内容物放出操作が阻止されるロック状態の前位置と当該内容物放出操作が可能なロック解除状態の後位置とにシフトし、かつ、この後位置における利用者の押下げ回動操作（内容物放出操作）に応じて、ステム２をそれまでの静止モード位置から作動モード位置に移行させる機能を備え、板状の上面および板状の前後左右の各側面からなる横断面長方形状（全体が直方体状）の操作部材，
６ａは当該操作部材の上面前側部分の前後方向に、これと直交する左右方向の幅が狭い態様で形成されて、すなわち下方にある左右両端側の縦凸状部５ｄがそれぞれ上方へと通過できない横幅で形成されて、ステム２を、下方に内容物放出操作と連動させるための幅狭開口部，
６ｂは当該操作部材の上面後側部分の前後方向に、これと直交する左右方向の幅が幅狭開口部６ａよりも広い態様で形成されて、すなわち下方にある左右両端側の縦凸状部５ｄがそれぞれ上方へと自由に通過できる横幅で形成されて、ステム２を、下方に内容物放出操作と連動させないための幅広開口部，
６ｃは当該操作部材の左右両側面それぞれの、幅狭開口部６ａの前縁と略同じ前後方向位置部分の上下方向に上面まで延びる態様で形成されて、当該操作部材の、その前端側部分が固定された形のヒンジ作用（回動操作）を担保するための一対の縦スリット状部，
６ｄは縦スリット状部６ｃそれぞれの上端部分から幅狭開口部６ａまでの左右方向に設定されるヒンジ作用部，
６ｅは当該操作部材の左右両側面それぞれの、幅広開口部６ｂの後縁と略同じ前後方向位置の下端部分から上方に形成されて、当該操作部材の内容物放出用の回動操作時における後開口部３ｃの下縁部分３ｄへのいわば逃げ作用を担保するための一対の縦切欠状部（係止解除作用部），
６ｆは当該操作部材の左右両側面それぞれの縦スリット状部６ｃより後方下端部分に形成され、図１の放出阻止モードにおける筒状案内部３ｆの下後端部分と当接して操作部材最前進位置を設定する一対の下側段部，
６ｇは胴部３と略同じ径からなる円弧状の前周面部（周方向外面部分），
６ｈは胴部３と略同じ径からなる円弧状の後周面部（周方向外面部分），
をそれぞれ示している。
【００３３】
また、
Ａは放出阻止モードの操作部材６に対する放出阻止解除の操作方向（図３参照），
Ｂはロック解除後の操作部材６に対する内容物放出操作方向（図４参照），
をそれぞれ示している。
【００３４】
ここで、容器本体１およびステム２は例えばプラスチック製，金属製のものである。カバーキャップ（胴部３＋天板４），出力側通路部材５および操作部材６は例えばポリプロピレン，ポリエチレン，ポリアセタール，ナイロン，ポリブチレンテレフタレートなどからなるプラスチック製のものである。
【００３５】
図示の内容物放出操作機構の基本的特徴は、
(11)内容物放出動作を阻止する放出阻止モードのとき、胴部３および天板４からなるカバーキャップの天面全体が平坦で、かつ、胴部３の外周面と、胴部内に配設された直方体状の操作部材６の前後それぞれの外周面とが全体として略同一の円周面形状に設定されて、これらカバーキャップおよび操作部材からなる内容物放出操作機構全体の天面および側面が、シンプルですっきりした感じの形状にまとまっており、
(12)操作部材６が、胴部３の筒状案内部３ｆおよび後開口部３ｃのそれぞれに合致する形で案内されながら、図１の放出阻止モード位置と図３の放出阻止解除モード位置との間をスライドし、
(13)操作部材６が前方に位置する図１，図２の放出阻止モードのとき、出力側通路部材５（の垂直円筒状部）の縦凸状部５ｄを含む平面全体が幅広開口部６ｂの真下に配設され、かつ、後周面部６ｈの下端面が後開口部３ｃの下縁部分３ｄに当接またはこれに近い状態で対向し、
(13)図１，図２の放出阻止モード位置の操作部材６を後方へスライドさせた図３の放出阻止解除モードのときには、出力側通路部材５の一対の縦凸状部５ｄがそれぞれ、幅狭開口部６ａの横幅（左右の幅）を画定する操作部材６の左右一対の前側天板部分の真下に位置し、かつ、操作部材６の縦切欠状部６ｅが胴部３の後開口部３ｃまで移動する、すなわち当該縦切欠状部が当該後開口部の下縁部分３ｄの真上に位置する、
ことである。
【００３６】
図１，図２の放出阻止モードのとき、操作部材６は、胴部３の前開口部３ｂから後開口部３ｃまでの間の胴部内空間域にいわば「すっぽり」と入り込んだ状態になっている。
【００３７】
このとき、出力側通路部材５の縦凸状部５ｄは幅広開口部６ｂの真下に設定され、また操作部材６の後周面部６ｈの下端面は胴部３の後開口部３ｃの下縁部分３ｄに当接した、保持状態に設定されている。
【００３８】
そのため利用者が、操作部材６の後端側部分などを押し下げて内容物放出状態の作動モードに設定しようとしても、当該操作部材は移動しない。
【００３９】
仮に放出阻止モード位置の操作部材６の後側（内容物放出操作の対象部分）に不用意な力などが作用し、当該操作部材の後周面部６ｈの下端部分がいくらか前方内側に変位して後開口部３ｃの下縁部分３ｄとの当接位置からずれ、このずれ状態で当該後周面部の側が下方に移動したとしても、
操作部材６は、その幅広開口部６ｂの真下部分に全体が位置している縦凸状部５ｄ（出力側通路部材５）を駆動することなく、自らのヒンジ作用部６ｄをいわば中心にして図示時計方向に回動するだけである。
【００４０】
すなわち、放出阻止モード位置の操作部材６が、その内容物放出操作の対象となる後側部分に何らかの力を受けて押し下げられても、それによって出力側通路部材５が下方に駆動されることは生じえない。
【００４１】
このとき、出力側通路部材５と連動して弁作用を呈する周知のステム２はそれまでの閉状態（静止モード）に維持されるので、容器本体１の内容物が出力側通路部材５のノズル出力孔部５ｃから外部空間域に放出されることはない。
【００４２】
図３は、利用者が、図１の放出阻止モード位置の操作部材６を、図示Ａ方向（後方）に、その前後方向の幅狭開口部６ａの前端部分が筒状案内部３ｆ（胴部３）の上側段部３ｇに当接するまで押してスライドさせた、放出阻止解除モード（＝静止モード）を示している。
【００４３】
この放出阻止解除モードにおいて、操作部材６は上述したように、その後周面部６ｈの全体が胴部３の後開口部３ｃから後方に十分ずれ、かつ、その左右両側面の縦切欠状部６ｅそれぞれが当該後開口部の下縁部分３ｄの略真上に位置している。
【００４４】
この「下縁部分３ｄの略真上」とは、利用者の、操作部材６の後端側部分に対する図４のＢ方向への押下げ操作時に、一対の縦切欠状部６ｅが胴部３の当該下縁部分からその下側の左右両側面部分に無理なく入り込んでいける態様の、縦切欠状部６ｅと下縁部分３ｄなどとの位置，形状関係の意である。
【００４５】
また、放出阻止モード位置の操作部材６に対する後方向へのスライド操作により、それまで当該操作部材の幅広開口部６ｂの下方に位置していた出力側通路部材５の縦凸状部５ｄが、幅狭開口部６ａの下方へとシフトする。
【００４６】
すなわち、出力側通路部材５の縦凸状部５ｄは操作部材６の天板部分の下側にいわば潜り込むことになる。
【００４７】
そのため、操作部材６の天板部分が下方に移動すると、出力側通路部材５は、その縦凸状部５ｄと当該天板部分との当接作用により押し下げられる。
【００４８】
図４は、利用者が、図３の放出阻止解除モード・静止モードの操作部材６を矢印Ｂ方向に押下げて回動操作した状態、すなわち容器本体１の収容内容物や、ステム２の下側部分が配設される周知のハウジング（図示省略）６の収容内容物が、出力側通路部材５のＬ字状通路部５ｂに続くノズル出力孔部５ｃから外部空間域に放出される状態の、作動モードを示している。
【００４９】
図４の操作部材６に対する矢印Ｂ方向への押下げ回動操作にともない、
(21)操作部材６は、その一対の縦切欠状部６ｅが胴部３の下縁部分３ｄからその下側に入り込んでいく態様で、そのヒンジ作用部６ｄを中心にして図示時計方向に回動し、
(22)この操作部材６の回動により、出力側通路部材５も、その縦凸状部５ｄが下方に駆動されてヒンジ結合部５ａを中心に図示反時計方向に少し回動し、すなわち下方位置へとシフトし、
(23)この出力側通路部材５の下方へのシフトにより、Ｌ字状通路部５ｂの内容物流入側のステム係合部分がステム２を押し下げ、
(24)このステム２の押下げ作用により、当該ステムは、周知のコイルスプリング（図示省略）の上方向への弾性力に抗する形で下方に移動して、その弁作用部がそれまでの閉状態から開状態へシフトする。
【００５０】
なお、図４の押下げ回動操作のとき、胴部３および天板４はそれぞれ変位せずに図３の放出阻止解除モード（＝静止モード）のときと同じ態様である。
【００５１】
ステム２の周知の弁作用部が開くことにより、容器本体１の内容物が「ハウジング（図示省略）−ステム２の内部空間域−Ｌ字状通路部５ｂ−ノズル出力孔部５ｃ」の径路で外部空間域に放出される。
【００５２】
利用者が操作部材６の押下げ回動操作を止めると、ステム２およびこれと一体の出力側通路部材５は周知のステム付勢用コイルスプリング（図示省略）の弾性力により上方向に駆動される。
【００５３】
この上方向への駆動作用により、出力側通路部材５は、天板４とのいわばインターフェースであるヒンジ結合部５ａを中心にして図示反時計方向に回動する。また、操作部材６の図示右側の、内容物放出操作で回動済の部分も、出力側通路部材５の縦凸状部５ｄによって押し上げられる形でヒンジ作用部６ｄを中心にして図示反時計方向に回動する。
【００５４】
その結果、出力側通路部材５および操作部材６はともに図３のロック解除・静止モード位置に復帰する。すなわち図３の放出阻止解除モード（静止モード）の位置に復帰する。
【００５５】
利用者が、図３の位置に復帰した放出阻止解除モードの操作部材６の後周面部６ｈを図示Ａ方向とは逆の前方に押して移動させることにより、当該操作部材は、その下側段部６ｆが胴部３の筒状案内部３ｆの下側後端面に当接した状態、すなわち図１の放出阻止モード位置にシフトする。
【００５６】
図示の内容物放出操作機構の組立て手順は、
(31) 操作部材６の後周面部６ｈが引っ掛からないように胴部３の上側段部３ｇを持ち上げながら、操作部材６を前開口部３ｂから挿入し、
(32)後周面部６ｈが後開口部３ｃに至ったら、出力側通路部材５のノズル側を切欠状部３ａに合わせるかたちで天板４を胴部３の上端側に嵌込む、
ようにする
【００５７】
本発明のエアゾール放出操作機構が図示の実施形態に限定されるものでないことは勿論であり、例えば、
(41)操作部材６の縦切欠状部６ｅに代えて、胴部３の下縁部分３ｄから下方に縦切欠状部を形成する、
(42)操作部材６、および胴部３の下縁部分３ｄからの下方それぞれの所定対向部分に、当該操作部材の内容物放出操作用の切欠状部を個々に、双方の合計長が縦切欠状部６ｅの長さ以上となるように形成する、
(43)図示の押下げ回動タイプの操作部材に代えて、非回動の上下動タイプの操作部材を用いる、
ようにしてもよい。
【００５８】
本発明が適用されるエアゾール式製品，ポンプ式製品としては、必要に応じ、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがありえる。
【００５９】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００６０】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００６１】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００６２】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００６３】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６４】
高分子化合物としては、メチルセルロース，ゼラチン，デンプン，カゼイン，ヒドロキシエチルセルロース，キサンタンガム，カルボキシビニルポリマーなどを用いる。
【００６５】
各用途に応じた有効成分としては、サリチル酸メチル，インドメタシンなどの消炎鎮痛剤、安息香酸ナトリウム，クレゾールなどの除菌剤、ピレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６６】
さらに、上記内容物以外の、懸濁剤，紫外線吸収剤，乳化剤，保湿剤，酸化防止剤、金属イオン封鎖剤なども用いることができる。
【００６７】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【符号の説明】
【００６８】
１：容器本体
１ａ：アンダーカット
２：ステム
【００６９】
３：胴部
３ａ：切欠状部
３ｂ：前開口部
３ｃ：後開口部
３ｄ：下縁部分
３ｅ：Ｃ字状周方向凹状部
３ｆ：筒状案内部
３ｇ：上側段部
３ｈ：前後スリット状部
【００７０】
４：天板
４ａ：平板状天面
４ｂ：垂下部
４ｃ：Ｃ字状周方向凸状部
【００７１】
５：出力側通路部材
５ａ：ヒンジ結合部
５ｂ：Ｌ字状通路部
５ｃ：ノズル出力孔部
５ｄ：縦凸状部
【００７２】
６：操作部材
６ａ：幅狭開口部
６ｂ：幅広開口部
６ｃ：縦スリット状部
６ｄ：ヒンジ作用部
６ｅ：縦切欠状部
６ｆ：下側段部
６ｇ：前周面部
６ｈ：後周面部
【００７３】
Ａ：ロック解除操作方向（図３参照）
Ｂ：内容物放出操作方向（図４参照）
【図１】
2015074486.tif 000003
【図２】
2015074486.tif 000004
【図３】
2015074486.tif 000005
【図４】
2015074486.tif 000006
【図５】
2015074486.tif 000007